(57)【要約】【課題】支持部に設けられた検知部の機能低下によって、当該支持部に支持されたシートへの画像記録が実行不能となる事態を回避した画像記録装置を提供する。【解決手段】当該装置は、取得部によって記録指示が取得されたことに応じて（Ｓ１１）、支持部にシートが支持されていることを示す第１検知信号が第１検知部から出力されているか否かに拘わらず、支持部に支持されたシートを給送する給送部を予め定められた駆動量だけ駆動させる給送処理（Ｓ１３）と、搬送路にシートが存在することを示す第２検知信号が給送処理中に第２検知部から出力されたことに応じて、記録指示に含まれる画像情報に基づく画像を記録部に記録させる記録処理とを実行する（Ｓ１４）。【選択図】図７
2015229580.tif 000002
【特許請求の範囲】
【請求項１】
シートを支持する支持部と、
上記支持部に支持されたシートを搬送路へ給送する給送部と、
上記支持部にシートが支持されていることに応じて、第１検知信号を出力する第１検知部と、
上記搬送路にシートが存在することに応じて、第２検知信号を出力する第２検知部と、
画像情報を含む記録指示を取得する取得する取得部と、
上記給送部によって上記搬送路へ給送されたシートに画像を記録する記録部と、
上記給送部及び上記記録部の駆動を制御する制御部と、を具備しており、
上記制御部は、
上記取得部によって上記記録指示が取得されたことに応じて、上記第１検知部から上記第１検知信号が出力されているか否かに拘わらず、予め定められた駆動量だけ上記給送部を駆動させる給送処理と、
上記給送処理中に上記第２検知部から上記第２検知信号が出力されたことに応じて、前記記録指示に含まれる上記画像情報に基づく画像を上記記録部に記録させる記録処理と、を実行する画像記録装置。
【請求項２】
上記第１検知部の異常を検知していないことを示す第１値、及び上記第１検知部の異常を検知したことを示す第２値のいずれかを保持する異常検知フラグを記憶する記憶部をさらに具備しており、
上記制御部は、上記給送処理中において、上記第２検知部から上記第２検知信号が出力され、且つ上記第１検知部から上記第１検知信号が出力されていないことに応じて、上記異常検知フラグに上記第２値を設定する異常検知処理をさらに実行する請求項１に記載の画像記録装置。
【請求項３】
上記第１検知部の異常を検知していないことを示す第１値、及び上記第１検知部の異常を検知したことを示す第２値のいずれかを保持する異常検知フラグと、
上記第１検知部から上記第１信号が出力されていたことを示す第３値、及び上記第１検知部から上記第１信号が出力されていなかったことを示す第４値のいずれかを保持する信号状態フラグと、を記憶する記憶部をさらに具備しており、
上記制御部は、
上記第１検知部から上記第１検知信号が出力されていないことに応じて、上記信号状態フラグに上記第４値を設定する状態確認処理を、上記給送処理に先立ってさらに実行し、
上記給送処理中において、上記第２検知部から上記第２検知信号が出力され、且つ上記信号状態フラグに上記第４値が設定されていることに応じて、上記異常検知フラグに上記第２値を設定する上記異常検知処理をさらに実行する請求項１に記載の画像記録装置。
【請求項４】
第１シート及び第２シートのそれぞれに記録すべき画像を示す画像情報を含む上記記録指示が上記取得部によって取得された場合において、
上記制御部は、上記第１シートに対する上記記録処理後において、上記異常検知フラグに上記第１値が設定されており、且つ上記第１検知部から上記第１検知信号が出力されていないことに応じて、上記支持部に上記第２シートが支持されていないことを報知する報知処理を、上記第２シートに対する上記給送処理に先立ってさらに実行する請求項２又は３に記載の画像記録装置。
【請求項５】
上記制御部は、上記報知処理後において、上記支持部にシートを載置したことを示す補充通知が上記取得部によって取得され、且つ上記第１検知部から上記第１検知信号が出力されていることに応じて、上記第２シートに対する上記給送処理を実行する請求項４に記載の画像記録装置。
【請求項６】
上記制御部は、上記第２シートに対する上記給送処理の実行後に上記第２検知部から上記第２検知信号が出力されないことに応じて、上記報知処理を再び実行する請求項５に記載の画像記録装置。
【請求項７】
上記制御部は、上記報知処理後において、上記支持部にシートを載置したことを示す補充通知が上記取得部によって取得されたことに応じて、上記第１検知部から上記第１検知信号が出力されているか否かに拘わらず、上記第２シートに対する上記給送処理を再び実行する請求項６に記載の画像記録装置。
【請求項８】
上記支持部は、第１支持部及び第２支持部を含み、
上記給送部は、
上記第１支持部に支持されたシートを上記搬送路へ給送する第１給送部と、
上記第２支持部に支持されたシートを上記搬送路へ給送する第２給送部とを含み、
上記第１検知部は、上記第１支持部にシートが支持されていることに応じて、上記第１検知信号を出力するものであり、
上記制御部は、シートの給送元を上記第１支持部に決定することを示す支持部情報を含む上記記録指示が上記取得部によって取得されたことに応じて、上記第１検知部から上記第１検知信号が出力されているか否かに拘わらず、上記駆動量だけ上記第１給送部を駆動させる上記給送処理を実行する請求項１から７のいずれかに記載の画像記録装置。
【請求項９】
上記制御部は、シートの給送元として上記第１支持部を優先することを示す上記支持部情報を含む上記記録指示が上記取得部によって取得された場合において、
上記第１検知部から上記第１検知信号が出力されていることに応じて、予め定められた第１駆動量だけ上記第１給送部を駆動させる第１給送処理を実行し、
上記第１検知部から上記第１検知信号が出力されていないことに応じて、予め定められた第２駆動量だけ上記第２給送部を駆動させる第２給送処理を実行する請求項８に記載の画像記録装置。
【発明の詳細な説明】
【技術分野】
【０００１】
本発明は、支持部から給送されたシートに画像を記録する画像記録装置に関する。
【背景技術】
【０００２】
従来より、シートを支持する支持部と、支持部にシートが支持されていることを検知する検知部と、支持部に支持されたシートを給送する給送部と、給送部によって給送されたシートに画像を記録する記録部とを備える画像記録装置が知られている（例えば、特許文献１参照）。上記構成の画像記録装置は、例えば、検知部によってシートが検知されたことに応じて、当該シートを給送部に給送させ、且つ当該シートに対して記録部に画像を記録させる。一方、当該画像記録装置は、例えば、検知部によってシートが検知されなかったことに応じて、支持部にシートが支持されていないことを報知する。
【先行技術文献】
【特許文献】
【０００３】
【特許文献１】特開２００９−２２０９８２号公報
【発明の概要】
【発明が解決しようとする課題】
【０００４】
しかしながら、検知部による検知結果に基づく画像記録装置の制御には、デメリットもある。例えば、検知部の故障或いは一時的な誤動作等（以下、「機能低下」と表記する。）によって、支持部にシートが明らかに支持されているにも拘わらず、当該シートに画像を記録できないという事態を生じる可能性がある。
【０００５】
本発明は、前述された事情に鑑みてなされたものであり、その目的は、支持部に設けられた検知部の機能低下によって、当該支持部に支持されたシートへの画像記録が実行不能となる事態を回避した画像記録装置を提供することにある。
【課題を解決するための手段】
【０００６】
(1)  本発明に係る画像記録装置は、シートを支持する支持部と、上記支持部に支持されたシートを搬送路へ給送する給送部と、上記支持部にシートが支持されていることに応じて、第１検知信号を出力する第１検知部と、上記搬送路にシートが存在することに応じて、第２検知信号を出力する第２検知部と、画像情報を含む記録指示を取得する取得する取得部と、上記給送部によって上記搬送路へ給送されたシートに画像を記録する記録部と、上記給送部及び上記記録部の駆動を制御する制御部とを具備する。そして、上記制御部は、上記取得部によって上記記録指示が取得されたことに応じて、上記第１検知部から上記第１検知信号が出力されているか否かに拘わらず、予め定められた駆動量だけ上記給送部を駆動させる給送処理と、上記給送処理中に上記第２検知部から上記第２検知信号が出力されたことに応じて、前記記録指示に含まれる上記画像情報に基づく画像を上記記録部に記録させる記録処理とを実行する。
【０００７】
上記構成によれば、第１検知部の機能低下によって、支持部に支持されたシートに対する記録処理が実行不能となる事態を回避できる。なお、ユーザによる支持部へのシートの挿抜に反応可能な位置に設けられる第１検知部は、第２検知部と比較して機能低下を生じる可能性が高い。そこで、第１検知部による検知より信頼性の高い代替手段（すなわち、第２検知部による検知）が存在する場合には、上記のように第１検知部による検知結果を無視、或いは当該検知結果の如何に拘わらず次の処理を実行した方がよい場合がある。
【０００８】
(2)  一例として、該画像記録装置は、上記第１検知部の異常を検知していないことを示す第１値、及び上記第１検知部の異常を検知したことを示す第２値のいずれかを保持する異常検知フラグを記憶する記憶部をさらに具備する。そして、上記制御部は、上記給送処理中において、上記第２検知部から上記第２検知信号が出力され、且つ上記第１検知部から上記第１検知信号が出力されていないことに応じて、上記異常検知フラグに上記第２値を設定する異常検知処理をさらに実行する。
【０００９】
(3)  他の例として、該画像記録装置は、上記第１検知部の異常を検知していないことを示す第１値、及び上記第１検知部の異常を検知したことを示す第２値のいずれかを保持する異常検知フラグと、上記第１検知部から上記第１信号が出力されていたことを示す第３値、及び上記第１検知部から上記第１信号が出力されていなかったことを示す第４値のいずれかを保持する信号状態フラグと、を記憶する記憶部をさらに具備する。そして、上記制御部は、上記第１検知部から上記第１検知信号が出力されていないことに応じて、上記信号状態フラグに上記第４値を設定する状態確認処理を、上記給送処理に先立ってさらに実行し、上記給送処理中において、上記第２検知部から上記第２検知信号が出力され、且つ上記信号状態フラグに上記第４値が設定されていることに応じて、上記異常検知フラグに上記第２値を設定する上記異常検知処理をさらに実行する。
【００１０】
上記構成によれば、第１検知部及び第２検知部から出力される検知信号の組み合わせによって、第１検知部の機能低下を適切に検知することができる。
【００１１】
(4)  好ましくは、第１シート及び第２シートのそれぞれに記録すべき画像を示す画像情報を含む上記記録指示が上記取得部によって取得された場合において、上記制御部は、上記第１シートに対する上記記録処理後において、上記異常検知フラグに上記第１値が設定されており、且つ上記第１検知部から上記第１検知信号が出力されていないことに応じて、上記支持部に上記第２シートが支持されていないことを報知する報知処理を、上記第２シートに対する上記給送処理に先立ってさらに実行する。
【００１２】
上記構成のように、第１シートに対する給送処理及び記録処理の過程において第１検知部が正常に動作していることが確認された場合には、第１検知信号に基づいて第２シートが支持部に支持されていないことを報知すればよい。
【００１３】
(5)  好ましくは、上記制御部は、上記報知処理後において、上記支持部にシートを載置したことを示す補充通知が上記取得部によって取得され、且つ上記第１検知部から上記第１検知信号が出力されていることに応じて、上記第２シートに対する上記給送処理を実行する。
【００１４】
上記構成のように、第１検知部が正常に動作している場合には、第２シートが支持部に載置されたことを第１検知信号によって確認してから第２シートに対する給送処理を実行するのが望ましい。
【００１５】
(6)  好ましくは、上記制御部は、上記第２シートに対する上記給送処理の実行後に上記第２検知部から上記第２検知信号が出力されないことに応じて、上記報知処理を再び実行する。
【００１６】
上記構成のように、第１検知部より信頼性の高い第２検知部から出力される第２検知信号によっても、支持部にシートが支持されていないことを検知することができる。
【００１７】
(7)  好ましくは、上記制御部は、上記報知処理後において、上記支持部にシートを載置したことを示す補充通知が上記取得部によって取得されたことに応じて、上記第１検知部から上記第１検知信号が出力されているか否かに拘わらず、上記第２シートに対する上記給送処理を再び実行する。
【００１８】
上記構成によれば、第１検知部の機能低下によって、第２シートに対する記録処理が実行不能となる事態を回避できる。
【００１９】
(8)  例えば、上記支持部は、第１支持部及び第２支持部を含む。また、上記給送部は、上記第１支持部に支持されたシートを上記搬送路へ給送する第１給送部と、上記第２支持部に支持されたシートを上記搬送路へ給送する第２給送部とを含む。さらに、上記第１検知部は、上記第１支持部にシートが支持されていることに応じて、上記第１検知信号を出力するものである。そして、上記制御部は、シートの給送元を上記第１支持部に決定することを示す支持部情報を含む上記記録指示が上記取得部によって取得されたことに応じて、上記第１検知部から上記第１検知信号が出力されているか否かに拘わらず、上記駆動量だけ上記第１給送部を駆動させる上記給送処理を実行する。
【００２０】
(9)  好ましくは、上記制御部は、シートの給送元として上記第１支持部を優先することを示す上記支持部情報を含む上記記録指示が上記取得部によって取得された場合において、上記第１検知部から上記第１検知信号が出力されていることに応じて、予め定められた第１駆動量だけ上記第１給送部を駆動させる第１給送処理を実行し、上記第１検知部から上記第１検知信号が出力されていないことに応じて、予め定められた第２駆動量だけ上記第２給送部を駆動させる第２給送処理を実行する。
【００２１】
上記構成によれば、第１検知部が正常に動作している場合に支持部情報に従った給送元からシートを給送することができる。また、仮に第１検知部が機能低下を生じていたとしても、第２支持部に支持されたシートを給送することができる。
【発明の効果】
【００２２】
本発明によれば、第１検知部の機能低下によって、支持部に支持されたシートに対する記録処理が実行不能となる事態を回避可能な画像記録装置を得ることができる。
【図面の簡単な説明】
【００２３】
【図１】図１は、可動部１８６が起立位置の複合機１０の外観斜視図である。
【図２】図２は、プリンタ部１１の内部構造を示す縦断面図である。
【図３】図３は、プリンタ部の内部構造を模式的に示す縦断面図である。
【図４】図４は、可動部１８６が倒伏位置のバイパストレイ７１を示す斜視図である。
【図５】図５は、可動部１８６が除かれた状態の複合機１０の後面側の外観斜視図である。
【図６】図６は、制御部１３０の構成を示すブロック図である。
【図７】図７は、（Ａ）が本実施形態に係る画像記録処理のフローチャートであり、（Ｂ）がＪＯＢデータ取得処理のフローチャートである。
【図８】図８は、本実施形態に係る給送元トレイ決定処理のフローチャートである。
【図９】図９は、本実施形態に係るシート有無確認処理のフローチャートである。
【図１０】図１０は、本実施形態に係るＪＯＢデータ処理のフローチャートである。
【図１１】図１１は、（Ａ）が第１補充処理のフローチャートであり、（Ｂ）が第２補充処理のフローチャートである。
【図１２】図１２は、変形例に係る画像記録処理のフローチャートである。
【図１３】図１３は、変形例に係る状態確認処理のフローチャートである。
【図１４】図１４は、変形例に係るシート有無確認処理のフローチャートである。
【発明を実施するための形態】
【００２４】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００２５】
［複合機１０の全体構成］
図１に示されるように、複合機１０は、概ね直方体に形成されており、インクジェット記録方式で記録用紙Ｓなどのシートに画像を記録するプリンタ部１１を備えている。但し、プリンタ部１１の記録方式はインクジェット記録方式に限定されず、電子写真方式等であってもよい。また、複合機１０は、ファクシミリ機能及びスキャン機能などの各種の機能をさらに有していてもよい。
【００２６】
［プリンタ部１１］
プリンタ部１１は、前面に開口１３が形成された筐体１４を有している。また、各種サイズの記録用紙Ｓを収容可能な給送トレイ２０（本発明の第２支持部の一例）及び排出トレイ２１が、開口１３から前後方向８に挿抜可能である。筐体１４の底面が、複合機１０が設置される載置面に当接する。図２に示されるように、プリンタ部１１は、給送トレイ２０から記録用紙Ｓを給送する給送部１５（本発明の第２給送部の一例）、記録用紙Ｓに画像を記録する記録部２４、第１搬送ローラ対５９、及び第２搬送ローラ対１８０などを備えている。プリンタ部１１は画像記録装置の一例である。
【００２７】
図１に示されるように、プリンタ部１１の上方には、スキャナ部１２が設けられている。スキャナ部１２の筐体１６の前後方向８及び左右方向９の寸法は、プリンタ部１１の筐体１４と同じである。したがって、プリンタ部１１の筐体１４及びスキャナ部１２の筐体１６が一体となって、複合機１０の概ね直方体形状の外形を形成している。スキャナ部１２は、フラットベッドスキャナである。なお、フラットベッドスキャナの構造は公知であるので、ここでは詳細な説明が省略される。また、スキャナ部１２には、複数枚の原稿を１枚ずつ分離して搬送する自動原稿搬送装置（ＡＤＦ）が設けられていてもよい。
【００２８】
筐体１６の前面には、タッチパネル９０を備えた液晶パネル８８と電源キー８９とが配置されている。液晶パネル８８には複合機１０に関する情報が表示される。タッチパネル９０は、液晶パネル８８に表示されたキーに対してユーザが触れたり、押圧したりすることによって、当該キーに対応づけられた複合機１０の動作の指示をユーザから取得する。また、ユーザが電源キー８９を押圧することによって、複合機１０の電源のオン及びオフが切り替えられる。
【００２９】
［給送トレイ２０］
図１及び図２に示される給送トレイ２０は、前後方向８及び左右方向９の長さが上下方向７の長さよりも長い外形であって、上面が開放された箱型の形状を有している。給送トレイ２０の上面前側には、排出トレイ２１が設けられている。給送トレイ２０は、例えば日本工業規格によるＡ４サイズから写真記録に用いられるＬ版などの大小様々なサイズの記録用紙Ｓを支持面で支持することにより記録用紙Ｓを収容可能である。給送トレイ２０は、筐体１４の開口１３に通ずる内部空間に着脱自在に装着される。この給送トレイ２０は、開口１３を通じて筐体１４に対して前後方向８に沿って進退可能である。
【００３０】
［給送部１５］
図２に示されるように、給送部１５は、給送ローラ２５、給送アーム２６、駆動伝達機構２７及び分離パッド１８１を備えている。給送部１５は、給送トレイ２０の上方であって記録部２４の下方に設けられている。給送ローラ２５は、給送アーム２６の先端部に回転可能に軸支されている。給送アーム２６は、基端部に設けられた回動軸２８を中心として、矢印２９の方向に回動する。これにより、給送ローラ２５は、給送トレイ２０の支持面に対して当接及び離間、すなわち接離が可能である。
【００３１】
したがって、記録用紙Ｓが収容された給送トレイ２０が筐体１４内に装着されたとき、給送ローラ２５は、給送トレイ２０に収容された記録用紙Ｓに当接可能である。記録用紙Ｓが収容されていない給送トレイ２０が筐体１４内に装着されたとき、給送ローラ２５が給送トレイ２０の支持面に当接する位置に分離パッド１８１が設けられている。分離パッド１８１は、給送トレイ２０の支持面の摩擦係数より大きな摩擦係数を有する材料で形成されている。
【００３２】
給送ローラ２５には、後述するモータ７８（図６参照）の駆動力が駆動伝達機構２７を通じて伝達される。駆動伝達機構２７は、回動軸２８とは異なる駆動軸に伝達された回転を無端ベルトにより給送ローラ２５の軸へ伝達する。給送ローラ２５は、給送トレイ２０の支持面上に支持された記録用紙Ｓのうち最上位置の記録用紙Ｓに当接した状態で回転することにより、当該記録用紙Ｓを搬送経路６５へ向けて給送する。
【００３３】
搬送経路６５へ向けて給送される記録用紙Ｓの先端は、給送トレイ２０の前後方向８の後側に設けられた分離部材１９７と当接する。その結果、最上位置の記録用紙Ｓのみが下側の記録用紙Ｓから分離されて搬送される。そして、最上位置の記録用紙Ｓよりも下側の記録用紙Ｓは、最上位置の記録用紙Ｓに引き摺られることなく給送トレイ２０内に収容されたままで保持される。なお、給送ローラ２５は、モータ７８とは別に設けられたモータから駆動伝達されてもよい。
【００３４】
［搬送経路６５］
図２及び図３に示されるように、筐体１４の内部空間に設けられた搬送経路６５は、給送トレイ２０の後側から上方へＵターンするように湾曲して延び、さらにプリンタ部１１の後ろ側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。
【００３５】
湾曲路６５Ａは、記録用紙Ｓが通過可能な空間を隔てて対向する外側ガイド部材１８、内側ガイド部材１９、及びガイド部材３１などによって規定されている。直線路６５Ｂは、記録用紙Ｓが通過可能な空間を隔てて対向する記録部２４及びプラテン４２、並びにガイド部材３４及びガイド部材３３などによって規定されている。給送トレイ２０の給送ローラ２５によって搬送経路６５に沿って給送された記録用紙Ｓは、湾曲路６５Ａに沿って下方から上方へ向かって搬送向き１７が反転され、直線路６５Ｂに沿って搬送向き１７が反転することなく後方から前方へ向かって搬送される。
【００３６】
外側ガイド部材１８は、湾曲路６５Ａに沿って記録用紙Ｓが搬送されるとき、外側の案内面を構成する部材である。内側ガイド部材１９は、湾曲路６５Ａに沿って記録用紙Ｓが搬送されるとき、内側の案内面を構成する部材である。なお、各案内面は、１つの面で構成されていてもよいし、複数のリブの先端面の群として構成されていてもよい。ガイド部材３１は、第１搬送ローラ対５９の直上流（後ろ側）において内側ガイド部材１９の上方に配置されている。外側ガイド部材１８及びガイド部材３１は、後述されるバイパス経路１８２を規定する部材でもある。
【００３７】
［後面カバー２２］
図２に示されるように、後面カバー２２は、外側ガイド部材１８を支持して筐体１４の後面の一部を構成する部材である。後面カバー２２は、下側の左右両端において筐体１４に対して回動可能に軸支されている。外側ガイド部材１８及び後面カバー２２は、下側の左右方向９に沿った回動軸周りに、上側が後ろ向きへ倒伏するように回動する。これにより、搬送経路６５の一部と、後述されるバイパス経路１８２の一部とが筐体１４の外方に開放（露出）される。
【００３８】
外側ガイド部材１８は、後面カバー２２と同様に、下側の左右両端において筐体１４に対して回動可能に軸支されている。後面カバー２２が後ろ向きへ倒伏するように回動された状態において、外側ガイド部材１８も、下側の左右方向９に沿った回動軸周りに、上側が後ろ向きへ倒伏するようにして回動可能である。外側ガイド部材１８が後ろ向きへ倒伏するように回動することにより、湾曲路６５Ａの少なくとも一部が開放（露出）される。図２に示されるように、後面カバー２２が起立状態となるように閉じられると、外側ガイド部材１８は、後面カバー２２に後方から支持されて起立状態に維持され、内側ガイド部材１９と対向して湾曲路６５Ａの一部を規定する。
【００３９】
［第１搬送ローラ対５９及び第２搬送ローラ対１８０］
図２に示されるように、搬送経路６５に沿った記録用紙Ｓの搬送向き１７における記録部２４の上流側に、第１搬送ローラ対５９が設けられている。第１搬送ローラ対５９は、第１搬送ローラ６０とピンチローラ６１とを有する。同様に、搬送向き１７における記録部２４の下流側に、第２搬送ローラ対１８０が設けられている。第２搬送ローラ対１８０は、第２搬送ローラ６２と拍車ローラ６３とを有する。第１搬送ローラ６０及び第２搬送ローラ６２は、後述するモータ７８（図６参照）の回転が伝達されて回転する。第１搬送ローラ対５９及び第２搬送ローラ対１８０は、それぞれを構成する各ローラの間に記録用紙Ｓを挟持した状態において、第１搬送ローラ６０及び第２搬送ローラ６２が回転することによって、記録用紙Ｓを搬送経路６５に沿って搬送向き１７に搬送する。なお、第１搬送ローラ６０及び第２搬送ローラ６２は、モータ７８とは別に設けられたモータから駆動伝達されてもよい。
【００４０】
［記録部２４］
図２及び図３に示されるように、搬送向き１７における第１搬送ローラ対５９と第２搬送ローラ対１８０との間に記録部２４が設けられている。記録部２４は、キャリッジ４０と記録ヘッド３９とを備えている。キャリッジ４０は、プラテン４２の後側及び前側に設けられたガイドレール４３，４４によって左右方向９に往復動可能に支持されている。ガイドレール４４には、公知のベルト機構が設けられている。キャリッジ４０は、ベルト機構の無端ベルトと連結されており、無端ベルトの回動によってガイドレール４３，４４に沿って左右方向９に往復動する。空間を隔てて上下方向７に対向するキャリッジ４０及び記録ヘッド３９とプラテン４２とは、直線路６５Ｂの一部を規定する。
【００４１】
記録ヘッド３９は、キャリッジ４０に搭載されている。記録ヘッド３９の下面には、複数のノズル３８が形成されている。記録ヘッド３９には、インクカートリッジ（不図示）からインクが供給される。記録ヘッド３９は、複数のノズル３８からインクを微小なインク滴として選択的に吐出する。キャリッジ４０が左右方向９へ移動しているときに、ノズル３８からプラテン４２に支持されている記録用紙Ｓに対してインク滴が吐出される。吐出されたインク滴がプラテン４２上の記録用紙Ｓに付着することにより、記録用紙Ｓに画像が記録される。
【００４２】
［バイパス経路１８２］
図２に示されるように、筐体１４の後面において後面カバー２２の上方に開口１８４が設けられている。筐体１４の内部には、開口１８４から第１搬送ローラ対５９へと延びるバイパス経路１８２が形成されている。バイパス経路１８２は、筐体１４の内部において前後方向８の後方から前方へ斜め下方に向かって延びる経路である。バイパス経路１８２は、ガイド部材３１、外側ガイド部材１８及び後面カバー２２などによって規定されている。ガイド部材３１は、バイパス経路１８２に沿って記録用紙Ｓが搬送されるとき、上側の案内面を構成する部材である。外側ガイド部材１８及び後面カバー２２は、バイパス経路１８２に沿って記録用紙Ｓが搬送されるとき、下側の案内面を構成する部材である。バイパス経路１８２は、後述するレジストセンサ１６０の設置位置より搬送向き１７の上流側において、搬送経路６５に合流する。
【００４３】
後述されるバイパストレイ７１に収容された記録用紙Ｓは、バイパス経路１８２に沿って斜め下方へ案内される。この記録用紙Ｓは、搬送経路６５の直線路６５Ｂに沿って案内され、第１搬送ローラ対５９により搬送される。この記録用紙Ｓは、更に記録部２４によって画像記録が行われて、排出トレイ２１へ排出される。このように、バイパストレイ７１に収容された記録用紙Ｓは、ほぼ直線形状の経路（記録用紙Ｓの表面と裏面とが上下方向７において反転することのない経路）に沿って搬送される。
【００４４】
［給送装置７０］
図３に示されるように、プリンタ部１１は、給送装置７０を備えている。給送装置７０は、バイパストレイ７１（本発明の第１支持部の一例）と、給送部７２（本発明の第１給送部の一例）と、シートセンサ１５０（本発明の第１検知部の一例）とを備える。給送装置７０は、例えば、図１及び図４に示される固定部１８５及び可動部１８６によって構成されている。
【００４５】
図１及び図４に示されるように、スキャナ部１２の筐体１６の後壁２３（図５参照）には、開口１８４（図２参照）を覆うようにして下方へ延びる固定部１８５が設けられている。固定部１８５は、バイパストレイ７１の搬送向き１７の下流側の一部を構成している。図４に示されるように、固定部１８５の上側には、可動部１８６が固定部１８５に対して矢印８０、８２の方向に回動可能に設けられている。可動部１８６は、固定部１８５の上側に固定部１８５に対して回動可能に設けられている。可動部１８６は、図１に示されるように上下方向７に沿って起立した起立位置と、図４に示されるように上下方向７に対して傾斜した倒伏位置との間で回動可能である。
【００４６】
起立位置とは、筐体１４の後面側における可動部１８６のためのスペースを小さくするための状態であり、バイパストレイ７１の不使用状態である。起立位置である可動部１８６の後面は、筐体１４の後面と略平行となっている。起立位置の可動部１８６は、回動先端が回動基端よりも上方に位置している。倒伏位置とは、可動部１８６を筐体１４の外側へ向かって斜め上方へ傾斜させることにより、傾斜した支持面１８８，１９３を実質的に１つの平面とした状態であり、バイパストレイ７１の使用可能状態である。倒伏位置の可動部１８６は、回動先端が回動基端よりも筐体１４の後面から離間している。可動部１８６を起立位置とするか倒伏位置とするかは、ユーザが任意に操作することにより選択可能である。
【００４７】
［バイパストレイ７１］
図１及び図５に示されるように、バイパストレイ７１は、複合機１０の後面側に設けられている。バイパストレイ７１の少なくとも一部は、可動部１８６に設けられている。すなわち、バイパストレイ７１は、固定部１８５（換言すれば、後壁２３）に対して回動可能に設けられている。バイパストレイ７１は、給送トレイ２０とは独立して記録用紙Ｓを収容する。バイパストレイ７１は、積層された複数の記録用紙Ｓを支持可能である。
【００４８】
図５に示されるように、固定部１８５の上面には、左右方向９に沿って延びるスリット形状の開口１８７が形成されている。バイパストレイ７１には、この開口１８７からバイパス経路１８２（図２参照）へと至る通路が形成されている。図４に示されるように、固定部１８５には、支持面１８８を有する支持部材１８９が設けられている。支持面１８８は、バイパス経路１８２（図２参照）まで斜め下方へ延びている。支持部材１８９の下端は、バイパス経路１８２に沿って搬送される記録用紙Ｓを案内するガイド面の一部を形成している。
【００４９】
図４に示されるように、可動部１８６の左右方向９の両側には、側壁１９０，１９１が設けられている。側壁１９０，１９１は、固定部１８５の左右方向９の両側の一部を覆っている。可動部１８６は、支持部材１９２を備えている。支持部材１９２は、側壁１９０，１９１の間に渡って設けられている。可動部１８６が倒伏位置にあるとき、支持部材１９２の上面に設けられた支持面１９３は、支持面１８８と実質的に同一の平面をなす。つまり、可動部１８６が倒伏位置にあるバイパストレイ７１において、支持部材１８９の支持面１８８及び支持部材１９２の支持面１９３によって形成される平面４５が記録用紙Ｓを支持する。また、可動部１８６が起立位置にあるとき、支持面１９３は、複合機１０の載置面に対して直交する、つまり上下方向７及び左右方向９に沿った状態となる。
【００５０】
なお、本実施形態において複合機１０が載置される載置面は、左右方向９と前後方向８とに沿って拡がる面である。ここで、「実質的に１つの平面（同一の平面）」とは、２つの面の間に僅かに段差があったとしても、支持された記録用紙Ｓが撓んだり湾曲したりしない平面のこと、すなわち、後述する分離部材１３２により安定した分離性能が発揮されるように記録用紙Ｓを支持する平面のことをいう。
【００５１】
支持部材１９２には、一対のサイドガイド１９４が設けられている。一対のサイドガイド１９４は、左右方向９に離間されて設けられており、支持面１９３より上方へ突出されている。サイドガイド１９４は、バイパストレイ７１の給送向き８７に沿って延出されたガイド面１９５を有している。支持面１９３上の記録用紙Ｓが搬送されるとき、記録用紙Ｓの給送向き８７に沿った端縁は、ガイド面１９５によって案内される。
【００５２】
サイドガイド１９４は、支持部材１９２の支持面１９３に沿った支持面１９６を有する。つまり、サイドガイド１９４は、ガイド面１９５と支持面１９６とが直交する略Ｌ字形状をなしている。支持面１９６は、支持面１９３とは僅かに段差があるものの、実質的に同一の平面をなしており、支持面１８８，１９３とともに記録用紙Ｓを支持する。一対のサイドガイド１９４が左右方向９に沿って離間する距離は可変である。これにより、支持面１９３，１９６に支持された様々なサイズの記録用紙Ｓの端縁をサイドガイド１９４のガイド面１９５によって案内することができる。
【００５３】
［給送部７２］
図３に示されるように、給送部７２は、回動軸６６と、給送ローラ７５と、給送アーム７６と、駆動伝達機構７９とを備える。給送部７２は、バイパストレイ７１に支持された記録用紙Ｓを給送向き８７に給送する。また、図４に示されるように、支持部材１８９の上端側であって支持面１８８の上方には、給送アーム７６の回動軸６６を回転可能に支持する補強部材１８３が設けられている。
【００５４】
図３に示されるように、給送アーム７６は、その一方の端部において、給送ローラ７５を回転可能に支持している。また、給送アーム７６は、その他方の端部において、回動軸６６に回動可能に支持されている。給送アーム７６は、回動軸６６から支持面１８８へ向かって下方へ延出されている。給送アーム７６は、固定部１８５における左右方向９の中央に配置されている。給送ローラ７５は、給送アーム７６の回動先端側の端部に支持されて、支持面１８８と対向して配置されている。給送ローラ７５は、給送アーム７６の回動に伴って、バイパストレイ７１に支持された記録用紙Ｓに対して当接及び離間、すなわち接離が可能である。給送ローラ７５の回転軸８３は左右方向９に延びている。
【００５５】
回動軸６６は、モータ７８（図６参照）から回転駆動力が伝達されることにより回転する。モータ７８の回転駆動力は、不図示のギヤによって回動軸６６に伝達される。駆動伝達機構７９は、互いに噛合する複数のギヤ４８Ａ、４８Ｂ、４８Ｃ、４８Ｄを備える。駆動伝達機構７９は、回動軸６６の回転を給送ローラ７５に伝達する。回動軸６６及び駆動伝達機構７９を通じてモータ７８の正転の回転駆動力が伝達された給送ローラ７５は、バイパストレイ７１に支持された記録用紙Ｓを給送向き８７に給送する向きに回転する。
【００５６】
給送アーム７６と回動軸６６とは、トーションばね（不図示）によって連結されている。給送アーム７６は、トーションばねによって図３の矢印６７の向き、つまりバイパストレイ７１の平面４５側に付勢される。なお、給送アーム７６を矢印６７の向きに付勢する構成は、トーションばねを備えた構成に限らない。例えば、一端を給送アーム７６に接続され且つ他端をプリンタ部１１のフレームに接続されたコイルばねが給送アーム７６の前側に配置されていてもよい。この構成であっても、給送アーム７６は、コイルばねによって矢印６７の向きに付勢される。
【００５７】
給送ローラ７５は、バイパストレイ７１の支持面１８８に支持された記録用紙Ｓのうち最上位置の記録用紙Ｓに当接した状態で回転することによって、バイパストレイ７１上の最上位置の記録用紙Ｓをバイパス経路１８２に沿って給送向き８７に給送する。一方、バイパストレイ７１上の最上位置より下の記録用紙Ｓは、下側ガイド部材９７の分離部１３２によって捌かれて、給送される最上位置の記録用紙Ｓに引き摺られることなくバイパストレイ７１に保持される。その結果、最上位置の記録用紙Ｓだけが他の記録用紙Ｓから分離され、バイパス経路１８２に沿って給送向き８７に給送される。
【００５８】
［シートセンサ１５０］
図３に示されるように、バイパストレイ７１には、シートセンサ１５０が設けられている。シートセンサ１５０は、バイパストレイ７１の平面４５上の記録用紙Ｓの有無を検知するためのセンサである。シートセンサ１５０は、固定部１８５に支持されていてもよいし、可動部１８６に支持されていてもよい。本実施形態において、シートセンサ１５０は、平面４５に形成された凹部１５１に回動可能に設けられた検出子１５２と、発光素子及び当該発光素子から発光された光を受光する受光素子を有する光学センサ１５３とを備えている。但し、シートセンサ１５０は、バイパストレイ７１による記録用紙Ｓの支持の有無を検知可能なものであるならば、上述した構成に限らない。
【００５９】
バイパストレイ７１の平面４５上に記録用紙Ｓが支持されていない状態において、検出子１５２の一部分は、凹部１５１から平面４５上に突出している。このとき、検出子１５２の他の部分は光学センサ１５３の発光素子から受光素子に至る光路に進入して、当該光路を通る光を遮断している。検出子１５２の他の部分が光路を通る光を遮断しているとき、光学センサ１５３から後述する制御部１３０（図６参照）にローレベルの信号が出力される。すなわち、シートセンサ１５０は、バイパストレイ７１に記録用紙Ｓが支持されていないことに応じて、制御部１３０にローレベル信号を出力する。
【００６０】
一方、記録用紙Ｓが平面４５上に支持されると、検出子１５２の一部分が記録用紙Ｓの裏面（平面４５側の面）に押されて回動し、凹部１５１の内部への埋没する。これにより、検出子１５２の他の部分は上記光路から外れて、上記光路に光が通る。光路を光が通るとき、光学センサ１５３から制御部１３０にハイレベルの信号（本発明の第１検知信号の一例）が出力される。すなわち、シートセンサ１５０は、バイパストレイ７１に記録用紙Ｓが支持されていることに応じて、制御部１３０にハイレベル信号を出力する。
【００６１】
［レジストセンサ１６０］
図３に示されるように、搬送経路６５の第１搬送ローラ対５９よりも搬送向き１７の上流側に、レジストセンサ１６０（本発明の第２検知部の一例）が設けられている。また、レジストセンサ１６０は、搬送経路６５及びバイパス経路１８２の合流位置より搬送向き１７の下流側に配置されている。すなわち、給送トレイ２０から給送された記録用紙Ｓ及びバイパストレイ７１から給送された記録用紙Ｓは、当該レジストセンサ１６０の設置位置（以下、「検知位置」と表記する。）を通って第１搬送ローラ対５９に到達する。さらに、シートセンサ１５０及びレジストセンサ１６０の間の長さ（搬送経路５６及びバイパス経路１８２に沿った長さ）は、バイパストレイ７１が支持可能な最も小さい記録用紙Ｓよりも短い。
【００６２】
レジストセンサ１６０は、記録用紙Ｓが検知位置に存在するか否かを検出するためのセンサである。レジストセンサ１６０は、記録用紙Ｓが検知位置に存在していることに応じて、ハイレベル信号（本発明の第２検知信号の一例）を制御部１３０に出力する。一方、レジストセンサ１６０は、記録用紙Ｓが検知位置に存在していないことに応じて、ローレベル信号を制御部１３０に出力する。レジストセンサ１６０の具体的な構成は、例えばシートセンサ１５０と共通であってもよい。
【００６３】
［制御部１３０］
図６に示されるように、制御部１３０は、複合機１０の動作を制御するものである。制御部１３０は、ＣＰＵ１４１、ＲＯＭ１４２、ＲＡＭ１４３、ＥＥＰＲＯＭ１４４、及びＡＳＩＣ１４５を備えている。これらは内部バス１４７によって接続されている。
【００６４】
ＲＯＭ１４２には、ＣＰＵ１４１が各種動作を制御するためのプログラムなどが格納されている。ＲＡＭ１４３は、ＣＰＵ１４１が上記プログラムを実行する際に用いるデータや信号等を一時的に記録する記憶領域、或いはデータ処理の作業領域として使用される。ＥＥＰＲＯＭ１４４には、電源オフ後も保持すべき設定やフラグ等が格納される。
【００６５】
ＲＡＭ１４３には、異常検知フラグが記憶される。異常検知フラグは、シートセンサ１５０の異常が検知されたか否かを示すフラグである。異常検知フラグには、シートセンサ１５０の異常を検知していないことを示す“ＯＦＦ（本発明の第１値の一例）”、及びシートセンサ１５０の異常を検知したことを示す“ＯＮ（本発明の第２値の一例）”のいずれかが設定される。異常検知フラグの初期値（すなわち、複合機１０の電源投入時の値）は、“ＯＦＦ”である。
【００６６】
ＥＥＰＲＯＭ１４４には、各トレイ２０、７１に支持されている記録用紙Ｓのサイズを示すサイズ設定情報が記憶されている。また、ＥＥＰＲＯＭ１４４には、各トレイ２０、７１に支持されている記録用紙Ｓの種別（光沢紙、普通紙等）を示す種別設定情報が記憶されていてもよい。サイズ設定情報及び種別設定情報は、例えば、タッチパネル９０を通じてユーザから取得してもよいし、各トレイ２０、７１に設けられたトレイセンサ１６１、１６２によって検出してもよい。
【００６７】
ＡＳＩＣ１４５は、モータ７８と接続されている。ＡＳＩＣ１４５は、モータ７８を駆動させるための駆動信号をＣＰＵ１４１から取得したことに応じて、当該駆動信号に応じた駆動電流をモータ７８に出力する。これにより、モータ７８が正転または逆転する。つまり、制御部１３０は、モータ７８の動作を制御する。モータ７８の回転により、各ローラ２５、６０、６２、７５が回転する。
【００６８】
ＡＳＩＣ１４５は、記録部２４（記録ヘッド３９及びキャリッジ駆動用モータ１４６）と接続されている。ＣＰＵ１４１からキャリッジ駆動用モータ１４６に駆動信号が出力されると、キャリッジ駆動用モータ１４６が当該駆動信号に応じて回転してキャリッジ４０が左右方向９に往復動する。また、ＣＰＵ１４１から記録ヘッド３９に制御信号が出力されると、記録ヘッド３９から当該制御信号に応じたインク滴が吐出される。つまり、制御部１３０は、記録部２４の動作を制御する。
【００６９】
ＡＳＩＣ１４５は、表示パネル８８、タッチパネル９０、及び通信部１４８と接続されている。ＡＳＩＣ１４５は、表示パネル８８の表示を制御し、タッチパネル９０が取得したユーザからの指示を取得し、通信部を通じて外部装置と通信する。
【００７０】
ＡＳＩＣ１４５は、シートセンサ１５０及びレジストセンサ１６０と接続されている。ＡＳＩＣ１４５は、シートセンサ１５０及びレジストセンサ１６０から出力されるハイレベル又はローレベルの信号を取得する。また、ＡＳＩＣ１４５は、トレイセンサ１６１、１６２と接続されていてもよい。トレイセンサ１６１は、給送トレイ２０に支持された記録用紙Ｓのサイズ設定情報及び種別設定情報を検出し、検出結果をＡＳＩＣ１４５に出力する。トレイセンサ１６２は、バイパストレイ７１に支持された記録用紙Ｓのサイズ設定情報及び種別設定情報を検出し、検出結果をＡＳＩＣ１４５に出力する。トレイセンサ１６１、１６２は省略可能である。
【００７１】
［画像記録処理］
次に、図７〜図１１を参照して、本実施形態に係る画像記録処理が説明される。画像記録処理は、複合機１０が電源オンのときに繰り返し実行される。図７（Ａ）に示される画像記録処理は、例えば、ＲＯＭ１４２に記憶されているプログラムをＣＰＵ１４１が読み出して実行することによって実現されてもよいし、制御部１３０に搭載されたハードウェア回路によって実現されてもよい。なお、各フローチャートにおいて、シートセンサ１５０からハイレベル信号が出力されていることを「シートセンサ“ＯＮ”」と表記し、シートセンサ１５０からローレベル信号が出力されていることを「シートセンサ“ＯＦＦ”」と表記する。レジストセンサ１６０についても同様である。
【００７２】
なお、本実施形態における画像記録装置においては、給送部１５、７２によって給送される記録用紙Ｓの重送、空送、及び搬送経路６５及びバイパス経路１８２上におけるジャム等は考慮されない。すなわち、後述する給送処理おいて、給送トレイ２０或いはバイパストレイ７１に記録用紙Ｓが支持されていれば、最上位置の記録用紙Ｓのみが他の記録用紙Ｓから適切に分離され、且つ第１搬送ローラ対５９の位置まで適切に給送されるものとして、以下の各処理が説明される。
【００７３】
まず、制御部１３０は、図７（Ａ）に示されるように、ＪＯＢデータ取得処理を実行する（Ｓ１１）。ＪＯＢデータ取得処理は、ＪＯＢデータ（本発明の記録指示の一例）を取得し、当該ＪＯＢデータから後述する各種情報を抽出する処理である。図７（Ｂ）を参照して、ＪＯＢデータ取得処理が説明される。
【００７４】
制御部１３０は、複合機１０にＪＯＢデータが入力されるまで、換言すれば複合機１０がＪＯＢデータを取得するまで待機する（Ｓ１５）。ＪＯＢデータの取得方法は特に限定されないが、例えば、タッチパネル９０（本発明の取得部の一例）を通じてユーザから入力された指示に基づいてＪＯＢデータを取得してもよいし、通信部１４８（本発明の取得部の他の例）を通じて外部装置からＪＯＢデータを受信してもよい。そして、制御部１３０は、ＪＯＢデータを取得したことに応じて（Ｓ１５：Ｙｅｓ）、当該ＪＯＢデータを解析して、画像情報、サイズ情報、ページ数情報、トレイ情報、及び種別情報等を抽出する（Ｓ１６）。
【００７５】
なお、タッチパネル９０を通じてユーザから入力された指示に基づいてＪＯＢデータを取得するとは、例えば以下のような処理を含む。一例として、制御部１３０は、複合機１０に接続された記憶メディアに記憶されたデータを選択し、且つプリントボタンを押下するユーザ操作がタッチパネル９０に対して行われたことによって、選択されたデータをＪＯＢデータとして取得する。他の例として、制御部１３０は、原稿がＡＤＦにセットされた状態でコピーボタンを押下するユーザ操作がタッチパネル９０に対して行われたことによって、スキャナ部１２が当該原稿を読み取って生成したデータを、ＪＯＢデータとして取得する。この場合において、画像情報、サイズ情報、及びページ情報は取得したデータに含まれる。一方、トレイ情報及び種別情報は、例えば、プリントボタン或いはコピーボタンを押下する前にタッチパネル９０を通じて指定されてもよいし、指定されなかった場合にはデフォルト値が用いられてもよい。
【００７６】
画像情報は、記録用紙Ｓに記録すべき画像の情報である。サイズ情報は、画像が記録されるべき記録用紙Ｓのサイズ（例えば、Ａ４、Ａ３、Ｂ４等の用紙サイズ）を特定する情報である。ページ数情報は、１つのＪＯＢデータによって画像が記録されるべき記録用紙Ｓの枚数を示す情報である。トレイ情報は、画像が記録されるべき記録用紙Ｓの給送元となるトレイを特定する情報である。本実施形態の複合機１０においては、給送トレイ２０及びバイパストレイ７１のうちの１つのトレイが特定される。複合機１０がさらに多数のトレイを備えている場合は、当該多数のトレイの中から１つのトレイが特定される。種別情報は、画像が記録されるべき記録用紙Ｓの種別（例えば、光沢紙、普通紙等）を特定する情報である。
【００７７】
次に、制御部１３０は、給送元トレイ決定処理を実行する（Ｓ１２）。給送元決定処理は、例えば、画像が記録されるべき記録用紙Ｓの給送元となるトレイが給送トレイ２０及びバイパストレイ７１のどちらであるかを、ＪＯＢデータに含まれるトレイ情報或いはサイズ情報等に基づいて決定する処理である。図８を参照して、給送元トレイ決定処理が詳細に説明される。
【００７８】
まず、制御部１３０は、ステップＳ１１で抽出したトレイ情報がバイパストレイ７１を示すことに応じて（Ｓ２１：Ｙｅｓ）、記録用紙Ｓの給送元をバイパストレイ７１に決定する（Ｓ２２）。また、制御部１３０は、ステップＳ１１で抽出したトレイ情報が給送トレイ２０を示すことに応じて（Ｓ２１：Ｎｏ＆Ｓ２３：Ｙｅｓ）、記録用紙Ｓの給送元を給送トレイ２０に決定する（Ｓ２４）。
【００７９】
一方、制御部１３０は、ＪＯＢデータにトレイ情報が含まれていないことに応じて（Ｓ２１：Ｎｏ＆Ｓ２３：Ｎｏ）、ＪＯＢデータから抽出したサイズ情報と、ＥＥＰＲＯＭ１４４に記憶されているサイズ設定情報とを比較する（Ｓ２５）。そして、制御部１３０は、サイズ情報で示される記録用紙Ｓのサイズと、バイパストレイ７１に支持されている記録用紙Ｓのサイズとが一致することに応じて（Ｓ２５：Ｙｅｓ）、記録用紙Ｓの給送元としてバイパストレイ７１を優先する（Ｓ２６）。また、制御部１３０は、サイズ情報で示される記録用紙Ｓのサイズと、バイパストレイ７１に支持されている記録用紙Ｓのサイズとが一致しないことに応じて（Ｓ２５：Ｎｏ）、記録用紙Ｓの給送元として給送トレイ２０を優先する（Ｓ２７）。なお、トレイ情報及びトレイ設定情報に代えて又は加えて、種別情報及び種別特定情報に基づいて、給送元となるトレイの優先条件が設定されていてもよい。すなわち、トレイ情報は、記録用紙Ｓの給送元を決定する支持部情報の一例である。また、サイズ情報及びサイズ設定情報（或いは、種別情報及び種別設定情報）は、記録用紙Ｓの給送元として優先されるトレイを示す支持部情報の一例である。
【００８０】
なお、ステップＳ２６、Ｓ２７において給送元となるトレイの優先順位が決められたとしても、この優先順位を覆す何らかの諸条件が発生する場合がある。このため、ステップＳ２８において、制御部１３０は、各諸条件に基づいて最終的に給送元のトレイを決定する。このステップＳ２８において、ステップＳ２６、Ｓ２７において優先されなかったトレイが給送元のトレイとして決定される場合もある。
【００８１】
例えばステップＳ２６においてバイパストレイ７１を優先すると決定された場合において、制御部１３０は、シートセンサ１５０からハイレベル信号が出力されていることに応じて、記録用紙Ｓの給送元をバイパストレイ７１に決定してもよい。一方、制御部１３０は、シートセンサ１５０からローレベル信号が出力されていることに応じて、記録用紙Ｓの給送元を給送トレイ２０に決定してもよい。但し、ステップＳ２８の処理は上述の例に限定されない。優先順位に基づく給送元トレイの決定は、例えば、実際に記録用紙Ｓを給送する際に実行されてもよい。
【００８２】
次に、制御部１３０は、シート有無確認処理を実行する（Ｓ１３）。シート有無確認処理は、給送元トレイ決定処理において給送元に決定されたトレイに、記録用紙Ｓが支持されているか否かを確認する処理である。図９を参照して、シート有無確認処理が詳細に説明される。
【００８３】
まず、制御部１３０は、ステップＳ２２において給送元がバイパストレイ７１に決定され、且つ異常検知フラグに“ＯＦＦ”が設定されていることに応じて（Ｓ３１：Ｙｅｓ＆Ｓ３２：Ｎｏ）、給送処理を実行する（Ｓ３３）。ステップＳ３３の給送処理は、バイパストレイ７１に支持された記録用紙Ｓを給送向き８７に給送するために、予め定められた駆動量（本発明の第１駆動量の一例）だけ給送部７２を駆動する（すなわち、モータ７８を正転させる）処理である。第１駆動量は、バイパストレイ７１に支持された記録用紙Ｓを、レジストセンサ１６０の検知位置に到達させるのに必要な駆動量より大きい。なお、制御部１３０は、ステップＳ３３において、シートセンサ１５０から出力されている信号に拘わらず、給送処理を実行する。
【００８４】
次に、制御部１３０は、給送処理中において、レジストセンサ１６０からハイレベル信号が出力され、且つシートセンサ１５０からローレベル信号が出力されていることに応じて（Ｓ３４：Ｙｅｓ＆Ｓ３５：Ｎｏ）、異常検知フラグに“ＯＮ”を設定する（Ｓ３６）。なお、ステップＳ３６が実行される場合とは、具体的には、バイパストレイ７１から給送された記録用紙Ｓがレジストセンサ１６０で検知されたにも拘わらず、当該記録用紙Ｓがシートセンサ１５０で検知されていない場合である。
【００８５】
一方、制御部１３０は、給送処理中において、レジストセンサ１６０からハイレベル信号が出力され、且つシートセンサ１５０からハイレベル信号が出力されたことに応じて（Ｓ３４：Ｙｅｓ＆Ｓ３５：Ｙｅｓ）、異常検知フラグに“ＯＦＦ”を設定する（Ｓ３７）。なお、制御部１３０は、ステップＳ３４〜Ｓ３７において、給送処理中にレジストセンサ１６０から出力される信号がローレベル信号からハイレベル信号に変化した時点でシートセンサ１５０から出力されている信号に基づいて、異常検知フラグに“ＯＮ”又は“ＯＦＦ”を設定する。
【００８６】
そして、制御部１３０は、レジストセンサ１６０がハイレベル信号を出力してからさらに所定の回転数だけモータ７８を正転させて、シート有無確認処理を終了する。これにより、バイパストレイ７１に支持された記録用紙Ｓは、バイパス経路１８２及び搬送経路６５を通って第１搬送ローラ対５９の位置に到達する。
【００８７】
また、制御部１３０は、給送処理において第１駆動量だけ給送部７２を駆動してもレジストセンサ１６０からハイレベル信号が出力されず、且つシートセンサ１５０からローレベル信号が出力されていることに応じて（Ｓ３４：Ｎｏ＆Ｓ３８：Ｎｏ）、異常検知フラグに“ＯＦＦ”を設定して（Ｓ３９）、第１補充処理を実行する（Ｓ４０）。さらに、制御部１３０は、第１補充処理の後にステップＳ３３以降の処理を再び実行する。第１補充処理は、給送元のトレイに記録用紙Ｓが支持されていないことをユーザに対して報知すると共に、当該トレイへの記録用紙Ｓの補充を促す処理である。図１１（Ａ）を参照して、第１補充処理が詳細に説明される。
【００８８】
まず、制御部１３０は、バイパストレイ７１に記録用紙Ｓが支持されていないことをユーザに対して報知する（Ｓ７１）。報知の具体的な方法は特に限定されないが、例えば、液晶パネル８８にメッセージを表示してもよいし、不図示のＬＥＤを点滅させてもよいし、不図示のスピーカからガイド音声を出力してもよいし、これらを組み合わせてもよい。ステップＳ７１における報知は、補充通知が取得され且つシートセンサ１５０からハイレベル信号が出力されるまで（Ｓ７２：Ｙｅｓ＆Ｓ７３：Ｎｏ）、継続される。ステップＳ７１の処理は、報知処理の一例である。
【００８９】
そして、制御部１３０は、補充通知を取得し且つシートセンサ１５０からハイレベル信号が出力されたことに応じて（Ｓ７２：Ｙｅｓ＆Ｓ７３：Ｙｅｓ）、報知を終了して第１補充処理を終了する（Ｓ７４）。補充通知は、給送元のトレイに記録用紙Ｓが載置されたことを示すものである。補充通知の取得方法は特に限定されないが、例えば、液晶パネル８８に表示された「ＯＫ」ボタンを給送元のトレイに記録用紙Ｓを補充したユーザがタップする操作をタッチパネル９０を通じて取得してもよい。
【００９０】
また、制御部１３０は、給送処理において第１駆動量だけ給送部７２を駆動してもレジストセンサ１６０からハイレベル信号が出力されず、且つシートセンサ１５０からハイレベル信号が出力されていることに応じて（Ｓ３４：Ｎｏ＆Ｓ３８：Ｙｅｓ）、異常検知フラグに“ＯＮ”を設定する（Ｓ４１）。次に、制御部１３０は、バイパストレイ７１に支持された記録用紙Ｓに対する給送処理を再び実行する（Ｓ４２）。ステップＳ４１の後に実行される給送処理（Ｓ４１→Ｓ４２）は、ステップＳ３３と共通する。なお、ステップＳ４１が実行される場合とは、例えば、バイパストレイ７１に記録用紙Ｓが支持されていないにも拘わらず、シートセンサ１５０がハイレベル信号を出力している場合である。
【００９１】
そして、制御部１３０は、給送処理中にレジストセンサ１６０からハイレベル信号が出力されたことに応じて（Ｓ４３：Ｙｅｓ）、さらに所定の回転数だけモータ７８を正転させて、シート有無確認処理を終了する。これにより、上述された通り、バイパストレイ７１に支持された記録用紙Ｓが、バイパス経路１８２及び搬送経路６５を通って第１搬送ローラ対５９の位置に到達する。一方、制御部１３０は、給送処理において第１駆動量だけ給送部７２を駆動してもレジストセンサ１６０からハイレベル信号が出力されないことに応じて（Ｓ４３：Ｎｏ）、第２補充処理を実行する（Ｓ４４）。さらに、制御部１３０は、第２補充処理の後にステップＳ４２以降の処理を再び実行する。図１１（Ｂ）を参照して、第２補充処理が詳細に説明される。
【００９２】
図１１（Ｂ）に示される第２補充処理は、ステップＳ７３が省略されている点において第１補充処理と相違し、その他の処理が第１補充処理と共通する。そして、第１補充処理は、異常検知フラグに“ＯＦＦ”が設定されている場合に実行される。すなわち、第１補充処理では、正常に動作しているシートセンサ１５０から出力される信号に基づいて、バイパストレイ７１に記録用紙Ｓが載置されたか否かが判断される。一方、第２補充処理は、異常フラグに“ＯＮ”が設定されている場合に実行される。すなわち、第２補充処理では、機能低下したシートセンサ１５０から出力される信号を無視して、或いは当該出力信号の如何に拘わらず、補充通知のみによってバイパストレイ７１に記録用紙Ｓが載置されたか否かが判断される。さらに、第２補充処理は、給送トレイ２０に記録用紙Ｓが支持されていない場合にも実行される。
【００９３】
また、制御部１３０は、ステップＳ２２において給送元がバイパストレイ７１に決定され、且つ異常検知フラグに“ＯＮ”が設定されていることに応じて（Ｓ３１：Ｙｅｓ＆Ｓ３２：Ｙｅｓ）、ステップＳ４２以降の処理を実行する。さらに、制御部１３０は、ステップＳ２３において給送元が給送トレイ２０に決定されたことに応じて（Ｓ３１：Ｎｏ）、ステップＳ４２以降の処理を実行する。なお、給送元が給送トレイ２０である場合の給送処理（Ｓ４２）は、予め定められた駆動量（本発明の第２駆動量の一例）だけ給送部１５を駆動（すなわち、モータ７８を正転させる）する点において、上述の給送処理と相違する。第２駆動量は、給送トレイ２０に支持された記録用紙Ｓを、レジストセンサ１６０の検知位置に到達させるのに必要な駆動量より大きい。
【００９４】
なお、シート有無確認処理において、ステップＳ３６が実行される場合とは、例えば、シートセンサ１５０がローレベル信号を出力したまま、その機能を停止している場合である。また、ステップＳ４１が実行される場合とは、例えば、シートセンサ１５０がハイレベル信号を出力したまま、その機能を停止している場合である。ステップＳ３６、Ｓ４１の処理は、異常検知処理の一例である。一方、ステップＳ３７、Ｓ３９が実行される場合とは、例えば、シートセンサ１５０が正常に動作している場合である。
【００９５】
次に、制御部１３０は、ＪＯＢデータ処理を実行する（Ｓ１４）。ＪＯＢデータ処理は、ＪＯＢデータに含まれる画像情報に基づく画像を、記録用紙Ｓに記録する処理である。図１０を参照して、ＪＯＢデータ処理が詳細に説明される。
【００９６】
まず、制御部１３０は、シート有無確認処理で給送された記録用紙Ｓに対する記録処理を実行する（Ｓ５１）。制御部１３０は、例えばステップＳ５１において、第１搬送ローラ対５９及び第２搬送ローラ対１８０に搬送向き１７の所定の改行幅だけ記録用紙Ｓを搬送させる搬送処理と、キャリッジ４０を左右方向９に移動させる過程で画像情報に基づいて記録ヘッド３９にインクを吐出させる吐出処理とを交互に実行する。そして、制御部１３０は、画像情報に基づく画像が記録された記録用紙Ｓを、第２搬送ローラ対１８０に排出トレイ２１へ排出させる。
【００９７】
次に、制御部１３０は、次の記録用紙Ｓに記録すべき画像情報があり、且つ給送元がバイパストレイ７１であることに応じて（Ｓ５２：Ｙｅｓ＆Ｓ５３：Ｙｅｓ）、次に画像が記録されるべき記録用紙Ｓをバイパストレイ７１から給送する（Ｓ５４〜Ｓ５８）。
【００９８】
まず、制御部１３０は、異常検知フラグに“ＯＦＦ”が設定されており、且つシートセンサ１５０からローレベル信号が出力されていることに応じて（Ｓ５４：Ｎｏ＆Ｓ５５：Ｎｏ）、バイパストレイ７１に対する第１補充処理（Ｓ５６）を実行した後で、バイパストレイ７１に支持された記録用紙Ｓに対する給送処理を実行する（Ｓ５７）。すなわち、正常に動作しているシートセンサ１５０から出力される信号がバイパストレイ７１に記録用紙Ｓが支持されていないことを示している場合は、給送処理に先立って第１補充処理が実行される。なお、第１補充処理及び給送処理の詳細は、ステップＳ３３、Ｓ４０等と共通であってもよい。
【００９９】
また、制御部１３０は、異常検知フラグに“ＯＦＦ”が設定されており、且つシートセンサ１５０からハイレベル信号が出力されていることに応じて（Ｓ５４：Ｎｏ＆Ｓ５５：Ｙｅｓ）、ステップＳ５６をスキップして、バイパストレイ７１に支持された記録用紙Ｓに対する給送処理を実行する（Ｓ５７）。すなわち、正常に動作しているシートセンサ１５０から出力される信号がバイパストレイ７１に記録用紙Ｓが支持されていることを示している場合は、給送処理に先立って第１補充処理が実行されない。
【０１００】
さらに、制御部１３０は、異常検知フラグに“ＯＮ”が設定されていることに応じて（Ｓ５４：Ｙｅｓ）、ステップＳ５５、Ｓ５６をスキップして、バイパストレイ７１に支持された記録用紙Ｓに対する記録処理を実行する（Ｓ５７）。すなわち、シートセンサ１５０が機能低下している場合は、当該シートセンサ１５０から出力される信号を無視し、或いは当該出力信号の如何に拘わらず、バイパストレイ７１に記録用紙Ｓが支持されていると仮定して給送処理が実行される。
【０１０１】
そして、制御部１３０は、給送処理中にレジストセンサ１６０からハイレベル信号が出力されたことに応じて（Ｓ５８：Ｙｅｓ）、さらに所定の回転数だけモータ７８を正転させて、給送された記録用紙Ｓを第１搬送ローラ対５９に到達させる。そして、制御部１３０は、当該記録用紙Ｓに対する記録処理を実行する（Ｓ５１）。一方、制御部１３０は、給送処理において第１駆動量だけ給送部７２を駆動してもレジストセンサ１６０からハイレベル信号が出力されないことに応じて（Ｓ５８：Ｎｏ）、第２補充処理（Ｓ５９）を実行した後で、再び給送処理（Ｓ５７）を実行する。
【０１０２】
一方、制御部１３０は、次の記録用紙Ｓに記録すべき画像情報があり、且つ給送元が給送トレイ２０であることに応じて（Ｓ５２：Ｙｅｓ＆Ｓ５３：Ｎｏ）、次に画像が記録されるべき記録用紙Ｓを給送トレイ２０から給送する（Ｓ６０〜Ｓ６２）。すなわち、制御部１３０は、給送トレイ２０に支持された記録用紙Ｓに対する給送処理を実行する（Ｓ６０）。
【０１０３】
そして、制御部１３０は、給送処理中にレジストセンサ１６０からハイレベル信号が出力されたことに応じて（Ｓ６１：Ｙｅｓ）、さらに所定の回転数だけモータ７８を正転させて、給送された記録用紙Ｓを第１搬送ローラ対５９に到達させる。そして、制御部１３０は、当該記録用紙Ｓに対する記録処理を実行する（Ｓ５１）。一方、制御部１３０は、給送処理において第２駆動量だけ給送部１５を駆動してもレジストセンサ１６０からハイレベル信号が出力されないことに応じて（Ｓ６１：Ｎｏ）、第２補充処理（Ｓ６２）を実行した後で、再び給送処理（Ｓ６０）を実行する。
【０１０４】
一方、制御部１３０は、次の記録用紙Ｓに記録すべき画像情報がないことに応じて（Ｓ５２：Ｎｏ）、ＪＯＢデータ処理を終了する。すなわち、記録処理（Ｓ５１）は、ＪＯＢデータに含まれるページ数情報で示される記録用紙Ｓの枚数分だけ繰り返し実行される。そして、制御部１３０は、ＪＯＢデータ取得処理を再び実行し、ステップＳ１６においてＪＯＢデータが入力されるまで待機する。
【０１０５】
［本実施形態の作用効果］
上記の実施形態によれば、シートセンサ１５０からの出力信号を無視して、或いはシートセンサ１５０からの出力信号の如何に拘わらず、バイパストレイ７１に支持された記録用紙Ｓに対する給送処理が実行される（Ｓ３３、Ｓ４１を経由したＳ４２）。ステップＳ５４で異常検知フラグに“ＯＮ”が設定されていた場合の給送処理（Ｓ５７）についても同様である。その結果、シートセンサ１５０に機能低下が生じていたとしても、バイパストレイ７１に支持された記録用紙Ｓに対する記録処理（Ｓ５１）が実行不能となる事態を回避できる。
【０１０６】
なお、シートセンサ１５０は、ユーザによるバイパストレイ７１への記録用紙Ｓの頻繁な挿抜に反応可能な位置に設けられる。また、バイパストレイ７１に支持される記録用紙Ｓの厚さは１枚〜上限の枚数の厚さまでの様々な厚さがあるため、シートセンサ１５０は、バイパストレイ７１に支持された記録用紙Ｓの束の様々な厚さにも反応しなければならない。そのため、シートセンサ１５０は、レジストセンサ１６０と比較して機能低下を生じる可能性が高い。そこで、機能低下を生じる可能性が高いシートセンサ１５０による検知より信頼性の高い代替手段（すなわち、常に１枚の記録用紙Ｓのみを検知すれば十分なレジストセンサ１６０による検知）が複合機１０の搬送経路６５に存在する場合には、上記のようにシートセンサ１５０による検知結果を無視、或いは当該検知結果の如何に拘わらず次の処理を実行した方がよい場合がある。
【０１０７】
一方、シートセンサ１５０が正常に動作していることが確認された場合（Ｓ５４：Ｎｏ）には、当該シートセンサ１５０から出力されるローレベル信号に基づいて（Ｓ５５：Ｎｏ）、給送処理（Ｓ５７）に先立って第１補充処理（Ｓ５６）を実行する。このように、シートセンサ１５０から出力される信号が信頼できる場合には、当該信号を活用することによって、画像記録処理のスループットが向上する。
【０１０８】
また、シートセンサ１５０から出力される信号を活用するか否かは、給送処理の実行時に限定されない。すなわち、異常検知フラグに“ＯＦＦ”が設定されている場合には第１補充処理を実行し（Ｓ４０、Ｓ５６）、異常検知フラグに“ＯＮ”が設定されている場合には第２補充処理を実行してもよい（Ｓ４４、Ｓ５９）。これにより、シートセンサ１５０が正常に動作している場合には画像記録処理のスループットが向上し、シートセンサ１５０に機能低下が生じている場合でも補充処理が実行不能となる事態を回避できる。
【０１０９】
また、制御部１３０は、ステップＳ２６において記録用紙Ｓの給送元としてバイパストレイ７１が優先された場合にも、シートセンサ１５０から出力される信号に基づいて、給送処理を実行してもよい。すなわち、制御部１３０は、シートセンサ１５０からハイレベル信号が出力されていることに応じて、バイパストレイ７１に支持された記録用紙Ｓに対する給送処理を実行すればよい。一方、制御部１３０は、シートセンサ１５０からローレベル信号が出力されていることに応じて、給送トレイ２０に支持された記録用紙Ｓに対する給送処理を実行すればよい。
【０１１０】
この場合、シートセンサ１５０が正常に動作しているか否かは不明である。しかしながら、シートセンサ１５０が正常に動作している場合にバイパストレイ７１から記録用紙Ｓを給送することができる。さらに、仮にシートセンサ１５０が機能低下を生じていたとしても、給送トレイ２０に支持された記録用紙を給送することができる。
【０１１１】
［変形例］
次に、図１２〜図１４を参照して、変形例に係る画像記録処理が説明される。なお、上記の実施形態との共通点の詳しい説明は省略され、相違点が詳細に説明される。
【０１１２】
まず、ＲＡＭ１４３には、信号状態フラグがさらに記憶される。信号状態フラグは、後述する状態確認処理において、シートセンサ１５０からハイレベル信号が出力されていたか否かを示すフラグである。信号状態フラグには、シートセンサ１５０からハイレベル信号が出力されていたことを示す“ＯＮ（本発明の第３値の一例）”、及びシートセンサ１５０からハイレベル信号が出力されていなかった（すなわち、ローレベル信号が出力されていた）ことを示す“ＯＦＦ（本発明の第４値の一例）”のいずれかが設定される。信号状態フラグの初期値（すなわち、複合機１０の電源投入時の値）は、“ＯＦＦ”である。
【０１１３】
制御部１３０は、図１２に示される画像記録処理において、給送元トレイ決定処理（Ｓ１２）の後で且つシート有無確認処理（Ｓ８１）の前に、状態確認処理を実行する（Ｓ８０）。図１３に示される状態確認処理は、シートセンサ１５０からハイレベル信号が出力されているか否かを確認する処理である。具体的には、制御部１３０は、シートセンサ１５０からハイレベル信号が出力されていることに応じて（Ｓ８２：Ｙｅｓ）、信号状態フラグに“ＯＮ”を設定する（Ｓ８３）。一方、制御部１３０は、シートセンサ１５０からローレベル信号が出力されていることに応じて（Ｓ８２：Ｎｏ）、信号状態フラグに“ＯＦＦ”を設定する（Ｓ８４）。
【０１１４】
また、制御部１３０は、図１４に示されるＪＯＢデータ処理において、信号状態フラグに設定された値に基づいて、処理を実行する。制御部１３０は、ステップＳ３３の給送処理中において、レジストセンサ１６０からハイレベル信号が出力され、且つ信号状態フラグに“ＯＦＦ”が設定されていることに応じて（Ｓ３４：Ｙｅｓ＆Ｓ８６：Ｎｏ）、異常検知フラグに“ＯＮ”を設定する（Ｓ３６）。一方、制御部１３０は、ステップＳ３３給送処理中において、レジストセンサ１６０からハイレベル信号が出力され、且つ信号状態フラグに“ＯＮ”が設定されていることに応じて（Ｓ３４：Ｙｅｓ＆Ｓ８６：Ｙｅｓ）、異常検知フラグに“ＯＦＦ”を設定する（Ｓ３７）。
【０１１５】
さらに、制御部１３０は、ステップＳ３３の給送処理において第１駆動量だけ給送部７２を駆動してもレジストセンサ１６０からハイレベル信号が出力されず、且つ信号状態フラグに“ＯＦＦ”が設定されていることに応じて（Ｓ３４：Ｎｏ＆Ｓ８７：Ｎｏ）、異常検知フラグに“ＯＦＦ”を設定して（Ｓ３９）、第１補充処理を実行する（Ｓ４０）。また、制御部１３０は、ステップＳ３３の給送処理において第１駆動量だけ給送部７２を駆動してもレジストセンサ１６０からハイレベル信号が出力されず、且つ信号状態フラグに“ＯＮ”が設定されていることに応じて（Ｓ３４：Ｎｏ＆Ｓ８７：Ｙｅｓ）、異常検知フラグに“ＯＮ”を設定する（Ｓ４１）。
【０１１６】
上記の変形例によれば、上記の実施形態と同様に、シートセンサ１５０に機能低下が生じていたとしても、バイパストレイ７１に支持された記録用紙Ｓに対する記録処理及び補充処理が実行不能となる事態を回避できる。なお、上記の実施形態と変形例とは、シートセンサ１５０から出力される信号をチェックするタイミングが異なる。すなわち、上記の実施形態では、各判断のタイミングでシートセンサ１５０から出力される信号がチェックされる。一方、変形例は、シートセンサ１５０から出力される信号を事前にチェックしておき、チェックの結果を信号状態フラグとして保持しておく。
【符号の説明】
【０１１７】
１０・・・複合機
１１・・・プリンタ部
１５・・・給送部
２０・・・給送トレイ
２４・・・記録部
７１・・・バイパストレイ
７２・・・給送部
７８・・・モータ
１３０・・・制御部
１４３・・・ＲＡＭ
１５０・・・シートセンサ
１６０・・・レジストセンサ
【図１】
2015229580.tif 000003
【図２】
2015229580.tif 000004
【図３】
2015229580.tif 000005
【図４】
2015229580.tif 000006
【図５】
2015229580.tif 000007
【図６】
2015229580.tif 000008
【図７】
2015229580.tif 000009
【図８】
2015229580.tif 000010
【図９】
2015229580.tif 000011
【図１０】
2015229580.tif 000012
【図１１】
2015229580.tif 000013
【図１２】
2015229580.tif 000014
【図１３】
2015229580.tif 000015
【図１４】
2015229580.tif 000016